(57)【要約】【課題】  コインを収容するコインホッパーと回転ディスクを配設したベース部材との着脱ならびにベース部材と架台の着脱を極めて簡単に短時間に行なうことができるコイン送出装置を提供する。【解決手段】  駆動装置の収納空間を画成した架台と、前記架台に取付けられたベース部材と、前記ベース部材に回転可能に配設された回転ディスクと、前記ベース部材に取付けられたコインホッパーとを備えたコイン送出装置において、前記ベース部材に、架台とベース部材ならびにベース部材とコインホッパーを脱着可能に係止するロック機構を設けたものである。【選択図】  図３
2006202246.tif 000002
【特許請求の範囲】
【請求項１】
駆動装置の収納空間を画成した架台と、前記架台に取付けられたベース部材と、前記ベース部材に回転可能に配設された回転ディスクと、前記ベース部材に取付けられたコインホッパーとを備えたコイン送出装置において、
前記ベース部材に、架台とベース部材ならびにベース部材とコインホッパーを脱着可能に係止するロック機構を設けた
ことを特徴とするコイン送出装置。
【請求項２】
ベース部材への係止部を設けた傾斜取付け部を有する架台と、
ベース部材への取付け脚を形成した当接フランジを有するコインホッパーと、
前記係止部を係止する被係止部と、前記取付け脚を受容する被取付け部と、前記係止部と被係止部ならびに取付け脚と被取付け部とを取付け・解除するロック機構を架台の背面側に設けたベース部材とを備え、
前記ロック機構の操作により、架台とベース部材ならびにベース部材とコインホッパーを脱着可能とした
ことを特徴とする請求項１項記載のコイン送出装置。
【請求項３】
ベース部材への係止部を上端と下端に各々設けた傾斜取付け部を有する架台と、
ベース部材への取付け脚を上縁と下縁に各々形成した当接フランジを有するコインホッパーと、
前記上縁に設けた係止部を係止するための係止桟と前記下縁に設けた係止部に係合する係止フックからなる被係止部と、前記上縁に形成した取付け脚を受容するロック孔と前記下縁に形成した取付け脚を係合する係合孔とからなる被取付け部と、前記係止部と係止桟ならびに前記取付け脚とロック孔とを取付け・解除するロック機構とを備えたベース部材とよりなり、
前記ロック機構の操作により、架台とベース部材ならびにベース部材とコインホッパーを脱着可能とした
ことを特徴とする請求項１項および請求項２項記載のコイン送出装置。
【請求項４】
先端面に切り欠き段部を形成し、前記ロック孔の周囲に立設された周壁と、前記ロック機構の脱落防止用ストッパー壁と、前記スプリングの係止突起とを備えたロック機構の取付け部を裏面に形成したベース部材と、
中央に形成された把手と、該把手の両側に一体に設けられた回転軸を形成したクランク状の係止レバーと、該回転軸と前記係止突起との間に縮設されたスプリングを有するロック機構とを備え、
前記回転軸を切り欠き段部とストッパー壁との間に挟持するとともに、前記把手をベース部材から外方へ突出させることによって、
前記ロック機構の傾斜方向の移動により前記ベース部材とコインホッパーの脱着を可能にするとともに、前記回転軸を中心とした回転により前記架台とベース部材を脱着可能にした
ことを特徴とする請求項１項乃至請求項３項記載のいずれかに記載のコイン送出装置。
【請求項５】
ベース部材を前記架台とのロックを解除した後に、前記架台の下縁に形成された係止部と係止フックとの係合部分を中心として架台前方に回転することによって架台から取外すとともに、
コインホッパーをベース部材とのロックを解除した後に、前記ベース部材の下縁に形成した係合孔との係合部分を中心として、架台前方に回転することによってベース部材から取外した
ことを特徴とする請求項１項乃至請求項４項のいずれかに記載のコイン送出装置。
【請求項６】
前記ベース部材と前記架台とのロックの解除は、ロック機構の把手で架台を強制歪曲することによって、係止部と係止桟の係合を解除した
ことを特徴とする請求項１項乃至請求項５項のいずれかに記載のコイン送出装置。
【請求項７】
前記ロック機構の把手と架台の当接面近傍を薄肉に形成した
ことを特徴とする請求項１項乃至請求項６項のいずれかに記載のコイン送出装置。
【発明の詳細な説明】
【技術分野】
【０００１】  本発明は、硬貨、コイン、トークン、名目硬貨またはこれらに準ずるもの（以下「コイン」と略称する）を、コインホッパー内に収容し、所要に応じて、コインホッパー内からコイン等を送り出すコイン送出装置に関し、特に、コイン等を散積状態に収容するコインホッパーとコインを一枚づつ送り出す回転ディスクを配設したベース部材を架台に容易に組付けかつ取外し可能に構成したコイン送出装置に関する。
【背景技術】
【０００２】  従来のコイン送出装置、例えば、特開２００４−１６４２９７号（特許文献１参照。）に開示されているコイン状部材送出装置では、架台１とこの架台１の上部に着脱可能にねじ止めされた枠体１５とその枠体１５の内側に装着された回転体４と該架台１に容器部材２が容器部材２に垂設された４本の取付け脚１０〜１３を介して螺子１４で着脱可能に装着された構成が開示されている。【０００３】
【特許文献１】  特開２００４−１６４２９７号公報
【発明の開示】
【発明が解決しようとする課題】
【０００４】  しかしながら、前述の従来技術にあっては、架台１と回転体４を装着した枠体１５の取付け関係ならびに架台１と容器部材２との取付け関係は、いずれも着脱可能にねじ止めされている。このため装置に故障が生じ部品を交換する場合やコインが容器部材２の内部に滞留した場合などの事情により容器部材２、回転体４、枠体１５などを着脱する必要が生じた時、それらの部品の着脱に工数を多く要していた。特に、遊技を中断して前述の問題に対処する場合には、その時間的要素が問題となる恐れがあった。【０００５】  本発明は、上述した従来技術における問題点を解決するためになされたもので、コイン（硬貨）を収容するコインホッパー（特許文献１の容器部材２相当、以下同様）と回転ディスク（回転体４）を配設したベース部材（枠体１５）との着脱ならびにベース部材（枠体１５）と架台（架台１）の着脱を極めて簡単に短時間に行なうことができるコイン送出装置を提供することを目的とする。
【課題を解決するための手段】
【０００６】  上述した従来技術の問題点を解決するために、本発明は、駆動装置の収納空間を画成した架台と、前記架台に取付けられたベース部材と、前記ベース部材に回転可能に配設された回転ディスクと、前記ベース部材に取付けられたコインホッパーとを備えたコイン送出装置において、前記ベース部材に、架台とベース部材ならびにベース部材とコインホッパーを脱着可能に係止するロック機構を設けたものである。【０００７】  上記のように構成することにより、特に、ロック機構により、極めて簡単に架台とベース部材ならびにベース部材とコインホッパーを脱着可能に組付けすることができ、装置に故障が生じた場合やコインがコインホッパー内部に滞留した場合などにおいて、容易に、短時間でコインホッパーやベース部材を各々分解し、かつ組付けることができる。このため、遊技を中断する時間が短時間で終了し、遊技者に不快感を与える恐れは少ない。【０００８】  次の発明は、ベース部材への係止部を設けた傾斜取付け部を有する架台と、ベース部材への取付け脚を形成した当接フランジを有するコインホッパーと、前記係止部を係止する被係止部と、前記取付け脚を受容する被取付け部と、前記係止部と被係止部ならびに取付け脚と被取付け部とを取付け・解除するロック機構を架台の背面側に設けたベース部材とを備え、前記ロック機構の操作により、架台とベース部材ならびにベース部材とコインホッパーを脱着可能としたものである。【０００９】  上記のように構成することにより、遊技機を開けたときに、ロック機構がコイン送出装置の背面に設けられているため、外部の者にその存在を知られることが少なく、外部からの侵入者による不正行為を未然に防止することができる。【００１０】  次の発明は、ベース部材への係止部を上端と下端に各々設けた傾斜取付け部を有する架台と、ベース部材への取付け脚を上縁と下縁に各々形成した当接フランジを有するコインホッパーと、前記上端に設けた係止部を係止するための係止桟と前記下端に設けた係止部に係合する係止フックからなる被係止部と、前記上縁に形成した取付け脚を受容するロック孔と前記下縁に形成した取付け脚を係合する係合孔とからなる被取付け部と、前記係止部と係止桟ならびに前記取付け脚とロック孔とを取付け・解除するロック機構とを備えたベース部材とよりなり、前記ロック機構の操作により、架台とベース部材ならびにベース部材とコインホッパーを脱着可能としたものである。【００１１】  上記のように構成することにより、架台とベース部材ならびにコインホッパーとベース部材の組付けをねじ等の固定手段を用いることなく極めて簡単・容易に行なうことができる。【００１２】  次の発明は、先端面に切り欠き段部を形成し、前記ロック孔の周囲に立設された周壁と、前記ロック機構の脱落防止用ストッパー壁と、前記スプリングの係止突起とを備えたロック機構の取付け部を裏面に形成したベース部材と、中央に形成された把手と、該把手の両側に一体に設けられた回転軸を形成したクランク状の係止レバーと、該回転軸と前記係止突起との間に縮設されたスプリングを有するロック機構とを備え、前記回転軸を切り欠き段部とストッパー壁との間に挟持するとともに、前記把手をベース部���から外方へ突出させることによって、前記ロック機構の傾斜方向の移動により前記ベース部材とコインホッパーの脱着を可能にするとともに、前記回転軸を中心とした回転により前記架台とベース部材を脱着可能にしたものである。【００１３】  上記のように構成することにより、ロック機構の係止レバーの操作方向を変えるだけで架台とベース部材ならびにベース部材とコインホッパーを脱着することができ、ベース部材とコインホッパーの分解、組付けが容易に短時間で行なうことができ、遊技者に遊技中断による不快感を与える恐れが少ない。【００１４】  次の発明は、ベース部材を前記架台とのロックを解除した後に、前記架台の下端に形成された係止部と係止フックとの係合部分を中心として架台前方に回転することによって架台から取外すとともに、コインホッパーをベース部材とのロックを解除した後に、前記ベース部材の下端に形成した係合孔との係合部分を中心として、架台前方に回転することによってベース部材から取外したものである。【００１５】  上記のように構成することにより、ベース部材とコインホッパーのいずれも、架台の前方下部を支点として回転させることによって分解、組付けを行なうため、分解、組付けに大きな力を必要とせず、簡単、容易に分解、組付けすることができ、しかも、ベース部材とコインホッパーのいずれも前方に位置しているため、コインホッパー内部に滞留しているコインがベース部材とコインホッパーなどで流下が堰き止められて下にこぼれる恐れが少ない。【００１６】  次の発明は、前記ベース部材と前記架台とのロックの解除は、ロック機構の把手で架台を強制歪曲することによって、係止部と係止桟の係合を解除したものである。【００１７】  上記のように構成することにより、特別な構成を設けることなく架台からベース部材を取外すことができる。【００１８】  次の発明は、前記ロック機構の把手と架台の当接面近傍を薄肉に形成したものである。【００１９】  上記のように構成することにより、架台の傾斜取付け部上端に突設した係止フックを容易に変形させ、ベース部材を架台から取外すことができる。
【発明の効果】
【００２０】  駆動装置の収納空間を画成した架台と、前記架台に取付けられたベース部材と、前記ベース部材に回転可能に配設された回転ディスクと、前記ベース部材に取付けられたコインホッパーとを備えたコイン送出装置において、前記ベース部材に、架台とベース部材ならびにベース部材とコインホッパーを脱着可能に係止するロック機構を設けることにより、コインを収容するコインホッパーと回転ディスクを配設したベース部材との着脱ならびにベース部材と架台の着脱を極めて簡単に短時間に行なうことができるコイン放出装置を得ることができる。
【発明を実施するための最良の形態】
【００２１】  図１は、本発明のコイン放出装置を示した側面図、図２は、コインホッパーのロックを解除した状態を示した図１相当図、図３は、コインホッパーとベース部材のロックを解除した状態を示した図１相当図、図４は、架台とベース部材の組付け状態を示した正面図、図５は、同上面図、図６は、ベース部材の同裏面図、図７は、係止レバーの取付け状態を示した要部斜視図、図８は、コインホッパーの側面図、図９は、図８のａ矢視図、図１０は、架台を示した側面図、図１１は、図１０のｂ矢視図、図１２は、図１１のｃ矢視図、図１３は、同背面図、図１４は、係止レバーによる架台の変形状態を示した拡大図である。【００２２】  本発明のコイン送出装置１００は、図３に示すように、外壁に傾斜取付け部１１を形成し、内部に回転ディスク３の駆動装置６を収納した架台１と、円形凹部２１を形成し、傾斜取付け部１１に沿って取付けられた脱着可能に取付けられたベース部材２と、該円形凹部２１に回転可能に嵌合配設された回転ディスク３と、ベース部材２に脱着可能に取付けられたコインホッパー４と、前述の架台１にベース部材２を脱着可能に取付けるとともにベース部材２にコインホッパー４を脱着可能に取付けるロック機構（係止レバー５、スプリング５３）より構成されている。【００２３】  架台１は、図１、図１０乃至図１２に示すように、側面矢視が五角形の箱形状を成していて、上壁を前方（図１において左方向を指す）に対して下り傾斜の矩形に形成した傾斜取付け部１１と、内部に駆動装置６を収納する空間１２を備えている。そして、この矩形の傾斜取付け部１１には、駆動装置６を空間１２に挿入するために、周縁を残して切り取った矩形状の挿入孔１２ａが形成されている。【００２４】  更に、前述の傾斜取付け部１１にはベース部材２への係止部が設けられている。この係止部は、上端１３の両端部近傍に形成され、先端に係止爪１４ａを形成した一対の係止フック１４と、下端に形成された挿入孔１２ａの下縁とから構成され、また、中央部近傍には、一対の係止レバー５を外部に突出させるための貫通凹部１５が形成されている。この貫通凹部１５の外周には、テーパー１６（図１４参照）を形成し薄肉化されている。【００２５】  ベース部材２は、図４乃至図７に示すように、全体として外形が前述の傾斜取付け部１１と略同形の板状に形成されている。そして、上面（以下、コインホッパー４側言う）には、円形凹部２１が形成されている。この円形凹部２１の中心には、駆動装置６の出力軸６２が貫通する貫通孔２２と略半径方向中央部分に同心円状の２本の環状溝２３が形成されている。そして、この環状溝２３に回転ディスク３の下面に突設した一対の凸部３２を嵌合するようにして回転ディスク３を円形凹部２１の内部に回転可能に配設している。【００２６】  また、ベース部材２には、架台１の傾斜取付け部１１に設けられた係止部を許容する被係止部と、コインホッパー４の当接フランジ４３に形成された取付け脚４３ａ、４３ｂを嵌合する被取付け部が設けられている。この被係止部は、ベース部材２の周壁上部２４ａの外面形成された係止桟２５と周壁下部２４ｂの外面両端近傍に突設された係合片２７から構成されている。そして、係止桟２５には、傾斜取付け部１１の上端１３に突設された一対の係止フック１４を嵌合し、係合片２７は、傾斜取付け部１１の下縁に係合する。一方、被取付け部は、ベース部材２の周壁上部２４ａの両端近傍に形成されたロック孔２８と周壁下部２４ｂの両端近傍に形成された係合孔２９から構成されている。そして、ロック孔２８には、コインホッパー４の当接フランジ４３の上縁に突設された取付け脚４３ａが、係合孔２９には、当接フランジ４３の下縁に突設された取付け脚４３ｂが嵌合する。【００２７】  更に、このベース部材２１の裏面（以下、架台１側を言う）には、ロック機構（係止レバー５、スプリング５３）の取付け部であるストッパー壁７１と周壁７２と係止突起７３が各々一対立設されている。【００２８】  ストッパー壁７１は、係止レバー５の回転軸５１をベース部材２１と平行な方向にスライドでき、かつ回転軸５１を中心として回動可能に嵌合しており、周壁７２は、回転軸５１を上下方向（ベース部材２１に対して垂直方向）に移動するのを規制している。そして、係止突起７３は、係止レバー５１をベース部材２に弾接するためのスプリング５３を繋止している。【００２９】  前述のストッパー壁７１は、図６、図７に示すように、ベース部材２の周壁上部２４ａ両端近傍に形成されたロック孔２８と係止レバー５の受け部２６との略中間に設けられている。そして、一方のストッパー壁７１は、ベース部材２に門状に一体成型され、他方のストッパー壁７１は、一部切り欠いてある。これらの内部の空間７１ａには、係止レバー５の回転軸５１が遊嵌され、また、一部切り欠いた切欠部７１ｂからは、係止レバー５の回転軸５１が挿入される。【００３０】  周壁７２は、ロック孔２８の周囲に立設され、対向する側部上端面に段差７２ａを形成し、その低い部分に係止レバー５の回転軸５１を載置して、ストッパー壁７１とので挟持され回転軸５１が上下（ベース部材２１に対して垂直方向）に移動するのを規制するとともに、その低い部分７２ｂの範囲で係止レバー５のスライドを許容する。尚、このとき、回転軸５１は、枠状の内部（ロック孔２８）に臨んでいる。【００３１】  係止突起７３は、ストッパー壁７１に対してベース部材２の中心方向に離間した位置に突設され、回転軸５１との間にスプリング５３を縮設している。【００３２】  したがって、ロック機構の係止レバー５は、ストッパー壁７１に画成された空間７１ａ内に遊嵌され、前後の壁でその移動範囲が規制され、かつ周壁７２の上端面に形成された段差７２ａの低い部分７２ｂとストッパー壁７１で上下方向が規制されている。そして、一方、空間７１ａ内に遊嵌された回転軸５１は、常時スプリング５３で壁に圧設されている。【００３３】  回転ディスク３は、円盤形状を成し、中央部に駆動装置６の出力軸６２への取付け部３１が突設されている。そして、この回転ディスク３は、取付け部３１を介して出力軸６２に固定され、減速機構６３で減速されたモータ６１の回転を受け、前述の円形凹部２１内で回転する。【００３４】  コインホッパー４は、図８、図９に示すように、上方にコイン（図示しない）の投入口４１を形成するとともに、下方に回転ディスク３にコイン（図示しない）を供給するため��環状の排出口４２を形成している。この排出口４２の周囲には、コインホッパー４をベース部材２に取付けるための矩形の当接フランジ４３が設けられている。この当接フランジ４３の外形は、ベース部材２と略同形状に形成されている。更に、当接フランジ４３の上縁と下縁には、各々一対の取付け脚４３ａと４３ｂとが架台１側に突設されている。このうちの取付け脚４３ａと４３ｂには、先端に外方に突出した係合爪４３ｃが突設されている。このうち取付け脚４３ａは、ベース部材２の周壁上部２４ａ側に形成されたロック孔２８に嵌合した後に、係止レバー５の回転軸５１に係合する。取付け脚４３ｂは、ベース部材２の周壁下部２４ｂに形成された係合孔２９に嵌合係止される。尚、４４は、コインホッパー４がベース部材２上に正確に載置されるように回動を規制するストッパーである。【００３５】  駆動装置６は、モータ６１と出力軸６２と減速機構６３とより構成され、モータ６１の回転を減速機構６３で減速して出力軸６２に伝達している。この出力軸６２は、ベース部材２から表面側に貫通し、回転ディスク３を回転させる。そして、駆動装置６は、ベース部材２の裏面に取付けられ、ベース部材２を架台１に取付けることによって、架台１の内部に収納される。【００３６】    ロック機構は、コ字状の把手５２とその両端に接続された回転軸５１を有するクランク形状に折曲された係止レバー５と係止レバー５をベース部材２の裏面に弾接するスプリング５３より構成されている。【００３７】  次に、図１乃至図３に基づいて、架台１、ベース部材２、コインホッパー４とロック機構（係止レバー５とスプリング５３）の脱着方法について説明する。まず、ロック機構の係止レバー５の両端に形成されている回転軸５１の一方をベース部材２の裏面に設けた取付け部７の一方のストッパー壁７１に画成されている空間７１ａ内に遊嵌するとともに、周壁７２の切り欠き段部７２ａに載置する。次に、他方の回転軸５１をもう一方のストッパー壁７１に切り欠き７２ｂから挿入し周壁７２の切り欠き段部７２ａに載置する。そして、回転軸５１と係止突起７３の間にスプリング５３を張設する。これにより、係止レバー５は、回転軸５１がストッパー壁７１の前後の壁でその移動範囲が規制され、かつ周壁７２の端面で上下方向が規制された状態でベース部材２の周壁上部２４ａに取付けられる。この取付けによって、把手５１は、ベース部材２の受け部２６の下側から外方に突出する。【００３８】  このロック機構（係止レバー５とスプリング５３）を取付けた状態のベース部材２を架台１の傾斜取付け部１１に載置する。即ち、ベース部材２の周壁下部２４ｂに設けた係合片２７を架台１に形成した傾斜取付け部１１の下縁に係合させ、その係合部分を中心としてベース部材２を架台１側に回動させる。そして、架台１の上端に突設した係止フック１４にベース部材２の周壁上部２４ａの外側に形成した係止桟２５を嵌合する。このとき、係止フック１４は、その先端に形成した係止爪１４ａが係止桟２５の中を通過するときに撓み、通過後復元して係止桟２５の上面に係止される。この結果、ベース部材２は、架台１の傾斜取付け部１１上に固定される。そして、係止レバー５の把手５２は、ベー���部材２の受け部２６と架台１の貫通凹部１５により形成された一対の空隔から外部に突出される。【００３９】  次に、架台１の傾斜取付け部１１に取付けられたベース部材２にコインホッパー４を取付ける。即ち、コインホッパー４の当接フランジ４３の下縁に突設した取付け脚４３ｂをベース部材２の周壁下部２４ｂに形成された係合孔２９に嵌合させ、その縁に係止爪４３ｃを係合させ、その係合部分を中心としてコインホッパー４をベース部材２側に回動させる。そして、当接フランジ４３の上縁に突設した取付け脚４３ａをベース部材２の周壁上部２４ａに形成されたロック孔２８に嵌合する。このとき、取付け脚４３ａの先端に形成された係止爪４３ｃがロック孔２８の臨んでいる係止レバー５の回転軸５１をベース部材２の傾斜方向に押し上げて嵌合される。嵌合が完了すると係止レバー５は、スプリング５３の復元力で復帰して、取付け脚４３ａをロック孔２８内に係止する。この結果、コインホッパー４は、ベース部材２上に取付けられる。【００４０】  上記のようにして、図１に示すように、組付けられた架台１とベース部材２並びにコインホッパー４を取外すには、先ず、ロック機構の係止レバー５を解除する。即ち、図２に示すように、スプリング５３に抗して係止レバー５の把手５２をベース部材２の傾斜と平行方向に引き出して回転軸５１と取付け脚４３ａの係合を解除してコインホッパー４をベース部材２から取外す。【００４１】  次に、図３に示すように、引き出された係止レバー５をその回転軸５１を中心として架台１方向に引き下げる（尚、この時、係止レバー５は、受け部２６によって上方へ回転することが規制されている）と、係止レバー５の側部が架台１に形成した貫通凹部１５に当接する。尚、更に係止レバー５を回動すると図１４に示すように、貫通凹部１５の周辺が架台１の前方に撓み、係止フック１４の係止爪１４ａをベース部材２の係止桟２５から離脱させてベース部材２を架台１から取外す。尚、本実施例では、貫通凹部１５の周辺を薄肉状１５ｂに形成し周辺の壁が撓み易くなるように形成してあるが他の方法で撓み易くしても良い。（例えば、切り込みを入れる）
【図面の簡単な説明】
【００４２】
【図１】  本発明のコイン放出装置を示した側面図である。
【図２】  コインホッパーのロックを解除した状態を示した図１相当図である。
【図３】  コインホッパーとベース部材のロックを解除した状態を示した図１相当図である。
【図４】  架台とベース部材の組付け状態を示した正面図である。
【図５】  架台とベース部材の組付け状態を示した上面図である。
【図６】  ベース部材の裏面図である。
【図７】  係止レバーの取付け状態を示した要部斜視図
【図８】  コインホッパーの側面図である。
【図９】  図８のａ矢視図である。
【図１０】  架台を示した側面図
【図１１】  図１０のｂ矢視図である。
【図１２】  図１１のｃ矢視図である。
【図１３】  図１１の背面図である。
【図１４】  係止レバーによる架台の変形状態を示した拡大図である。
【符号の説明】
【００４３】１００  コイン送出装置
１      架台
１１    傾斜取付け部
１１ａ  （傾斜取付け部の）上端
１１ｂ  （傾斜取付け部の）下端
１２    空間
１３    挿入孔
１４    係止フック
１４ａ  係止爪
１５    貫通凹部
１６    テーパー
２      ベース部材
２１    円形凹部
２２    貫通孔
２３    環状溝
２４ａ  周壁上部
２４ｂ  周壁下部
２５    係止桟
２６    受け部
２７    係合片
２８    ロック孔
２９    係合孔
３      回転ディスク
３１    取付け部
３２    凸部
４      コインホッパー
４１    投入口
４２    排出口
４３    当接フランジ
４３ａ  （上縁の）取付け脚
４３ｂ  （下縁の）取付け脚
４３ｃ  係止爪
４４    ストッパー
５      （ロック機構の）係止レバー
５１    回転軸
５２    把手
５３    スプリング
６      駆動装置
６１    モータ
６２    出力軸
６３    減速機構
７      （ロック機構の係止レバー５の）取付け部
７１    ストッパー壁
７１ａ  空間
７１ｂ  切欠部
７２    周壁
７２ａ  切り欠き段部
７２ｂ  低い部分
７３    係止突起
【図１】
2006202246.tif 000003
【図２】
2006202246.tif 000004
【図３】
2006202246.tif 000005
【図４】
2006202246.tif 000006
【図５】
2006202246.tif 000007
【図６】
2006202246.tif 000008
【図７】
2006202246.tif 000009
【図８】
2006202246.tif 000010
【図９】
2006202246.tif 000011
【図１０】
2006202246.tif 000012
【図１１】
2006202246.tif 000013
【図１２】
2006202246.tif 000014
【図１３】
2006202246.tif 000015
【図１４】
2006202246.tif 000016